【手続補正書】
【提出日】平成27年5月19日(2015.5.19)
【手続補正１】
【補正対象書類名】特許請求の範囲
【補正対象項目名】全文
【補正方法】変更
【補正の内容】
【特許請求の範囲】
【請求項１】
被写体像を画像データに変換する撮像部と、
上記画像データをファイル化するファイル化部と、
上記画像データの加算演算を行う加算演算部と、
撮影の実行中に特定のタイミングで上記撮像部から上記画像データが出力されるたびに、上記画像データと、上記撮影の実行中に外乱を検出した場合には、上記外乱が有ったことを示す外乱情報を合せて上記ファイル化部にファイル化を実行させると共に、上記加算演算部に過去の画像データとの加算演算を実行させる制御部と、
を有することを特徴とする撮像装置。
【請求項２】
上記ファイル化部は、上記撮影の終了時に、上記加算演算した画像をファイル化することを特徴とする請求項１に記載の撮像装置。
【請求項３】
上記撮像装置は、さらに、時計情報を出力する時計部を有し、
上記制御部は、上記特定のタイミングで出力された画像データをファイル化する際に、上記時刻情報も併せて記録することを特徴とする請求項１に記載の撮像装置。
【請求項４】
撮影開始から終了時のまでの間に、特定タイミングで得られた画像データ、外乱情報と共に時刻情報が記録された複数の画像ファイルを記憶する記憶部と、
上記外乱情報に基づく表示を行うか行わないかの設定を行う設定部と、
上記設定部で上記外乱情報に基づく表示を行う設定を行った場合には、上記記憶部に記憶された画像ファイルが有する上記外乱情報と上記時刻情報を利用して画像の再生制御を行い、一方、上記設定部で上記外乱情報に基づく表示を行わない設定を行った場合には、上記記憶部に記憶された画像ファイルが有する上記時刻情報を利用して画像の再生制御を行う再生制御部と、
上記再生制御部によって制御された上記画像を表示する表示部と、
を有することを特徴とする再生装置。
【請求項５】
撮像部から被写体像を画像データに変換する撮像ステップと、
上記画像データをファイル化するファイル化ステップと、
上記画像データの加算演算を行う加算演算ステップと、
撮影の実行中に特定のタイミングで上記撮像ステップにおいて上記画像データが出力されるたびに、上記画像データと、上記撮影の実行中に外乱を検出した場合には、上記外乱があったことを示す外乱情報を合せて上記ファイル化ステップによってファイル化を実行させると共に、上記加算演算ステップにおいて過去の画像データとの加算演算を実行させる制御ステップと、
を有することを特徴とする撮像方法。
【請求項６】
撮像開始から終了時までの間に、特定タイミングで得られた画像データ、外乱情報と共に時刻情報が記録された複数の画像ファイルを記憶する記憶ステップと、
上記外乱情報に基づく表示を行うか行わないかの設定を行う設定ステップと、
上記設定ステップで上記外乱情報に基づく表示を行う設定を行った場合には、上記記憶ステップで記憶された画像ファイルが有する上記外乱情報と上記時刻情報を利用して画像の再生制御を行い、一方、上記設定ステップで上記外乱情報に基づく表示を行わない設定を行った場合には、上記記憶ステップで記憶された画像ファイルが有する上記時刻情報を利用して画像の再生制御を行う再生制御ステップと、
上記再生制御ステップによって制御された上記画像を表示する表示ステップと、
を有することを特徴とする再生方法。
【請求項７】
撮像部を備えた撮像装置におけるコンピュータを実行させる撮像制御プログラムにおいて、
上記撮像部から被写体像を画像データに変換する撮像ステップと、
上記画像データをファイル化するファイル化ステップと、
上記画像データの加算演算を行う加算演算ステップと、
撮影の実行中に特定のタイミングで上記撮像ステップにおいて上記画像データが出力されるたびに、上記画像データと、上記撮影の実行中に外乱を検出した場合には、上記外乱があったことを示す外乱情報を合せて上記ファイル化ステップによってファイル化を実行させると共に、上記加算演算ステップにおいて過去の画像データとの加算演算を実行させる制御ステップと、
を上記コンピュータに実行させることを特徴とする撮像制御プログラム。
【請求項８】
表示部を備えた表示装置におけるコンピュータを実行させる再生制御プログラムにおいて、
撮像開始から終了時までの間に、特定タイミングで得られた画像データ、外乱情報と共に時刻情報が記録された複数の画像ファイルを記憶する記憶ステップと、
上記外乱情報に基づく表示を行うか行わないかの設定を行う設定ステップと、
上記設定ステップで上記外乱情報に基づく表示を行う設定を行った場合には、上記記憶ステップで記憶された画像ファイルが有する上記外乱情報と上記時刻情報を利用して画像の再生制御を行い、一方、上記設定ステップで上記外乱情報に基づく表示を行わない設定を行った場合には、上記記憶ステップで記憶された画像ファイルが有する上記時刻情報を利用して画像の再生制御を行う再生制御ステップと、
上記再生制御ステップによって制御された上記画像を表示する表示ステップと、
を上記コンピュータに実行させることを特徴とする再生制御プログラム。
【手続補正２】
【補正対象書類名】明細書
【補正対象項目名】発明の名称
【補正方法】変更
【補正の内容】
【発明の名称】撮像装置、再生装置、撮像方法、再生方法、撮像制御プログラム、および再生制御プログラム
【手続補正３】
【補正対象書類名】明細書
【補正対象項目名】０００１
【補正方法】変更
【補正の内容】
【０００１】
本発明は、撮像装置、再生装置、撮像方法、再生方法、撮像制御プログラム、および再生制御プログラムに関し、詳しくは、撮影中に特定のタイミングで画像データが出力されるたびに加算演算を行い、加算画像を生成する撮像装置、撮像方法、撮像制御プログラム、およびこの撮像装置で記録された画像ファイルの再生を行う再生装置、再生方法、再生制御プログラムに関する。
【手続補正４】
【補正対象書類名】明細書
【補正対象項目名】０００６
【補正方法】変更
【補正の内容】
【０００６】
本発明は、このような事情を鑑みてなされたものであり、撮影中に特定のタイミングで画像データが出力されるたびに加算演算を行い、加算画像を生成する場合に、露出が適正な画像を生成可能な撮像装置、撮像方法、撮像制御プログラムを目的とする。また、この撮像装置で記録された画像ファイルの再生を行う際に、画像表現をユーザの好みに応じて変更が可能な再生装置、再生方法、再生制御プログラムを提供することを目的とする。
【手続補正５】
【補正対象書類名】明細書
【補正対象項目名】０００７
【補正方法】変更
【補正の内容】
【０００７】
上記目的を達成するため第１の発明に係わる撮像装置は、被写体像を画像データに変換する撮像部と、上記画像データをファイル化するファイル化部と、上記画像データの加算演算を行う加算演算部と、撮影の実行中に特定のタイミングで上記撮像部から上記画像データが出力されるたびに、上記画像データと、上記撮影の実行中に外乱を検出した場合には、上記外乱が有ったことを示す外乱情報を合せて上記ファイル化部にファイル化を実行させると共に、上記加算演算部に過去の画像データとの加算演算を実行させる制御部と、を有する。
第２の発明に係わる撮像装置は、上記第１の発明において、上記ファイル化部は、上記撮影の終了時に、上記加算演算した画像をファイル化する。
第３の発明に係わる撮像装置は、上記第１の発明において、上記撮像装置は、さらに、時計情報を出力する時計部を有し、上記制御部は、上記特定のタイミングで出力された画像データをファイル化する際に、上記時刻情報も併せて記録する。
【手続補正６】
【補正対象書類名】明細書
【補正対象項目名】０００８
【補正方法】変更
【補正の内容】
【０００８】
第４の発明に係わる再生装置は、撮影開始から終了時のまでの間に、特定タイミングで得られた画像データ、外乱情報と共に時刻情報が記録された複数の画像ファイルを記憶する記憶部と、上記外乱情報に基づく表示を行うか行わないかの設定を行う設定部と、上記設定部で上記外乱情報に基づく表示を行う設定を行った場合には、上記記憶部に記憶された画像ファイルが有する上記外乱情報と上記時刻情報を利用して画像の再生制御を行い、一方、上記設定部で上記外乱情報に基づく表示を行わない設定を行った場合には、上記記憶部に記憶された画像ファイルが有する上記時刻情報を利用して画像の再生制御を行う再生制御部と、上記再生制御部によって制御された上記画像を表示する表示部と、を有する。
【手続補正７】
【補正対象書類名】明細書
【補正対象項目名】０００９
【補正方法】変更
【補正の内容】
【０００９】
第５の発明に係わる撮像方法は、撮像部から被写体像を画像データに変換する撮像ステップと、上記画像データをファイル化するファイル化ステップと、上記画像データの加算演算を行う加算演算ステップと、撮影の実行中に特定のタイミングで上記撮像ステップにおいて上記画像データが出力されるたびに、上記画像データと、上記撮影の実行中に外乱を検出した場合には、上記外乱があったことを示す外乱情報を合せて上記ファイル化ステップによってファイル化を実行させると共に、上記加算演算ステップにおいて過去の画像データとの加算演算を実行させる制御ステップと、を有する。
第６の発明に係わる再生方法は、撮像開始から終了時までの間に、特定タイミングで得られた画像データ、外乱情報と共に時刻情報が記録された複数の画像ファイルを記憶する記憶ステップと、上記外乱情報に基づく表示を行うか行わないかの設定を行う設定ステップと、上記設定ステップで上記外乱情報に基づく表示を行う設定を行った場合には、上記記憶ステップで記憶された画像ファイルが有する上記外乱情報と上記時刻情報を利用して画像の再生制御を行い、一方、上記設定ステップで上記外乱情報に基づく表示を行わない設定を行った場合には、上記記憶ステップで記憶された画像ファイルが有する上記時刻情報を利用して画像の再生制御を行う再生制御ステップと、上記再生制御ステップによって制御された上記画像を表示する表示ステップと、を有する。
【手続補正８】
【補正対象書類名】明細書
【補正対象項目名】００１０
【補正方法】変更
【補正の内容】
【００１０】
第７の発明に係わる撮像制御プログラムは、撮像部を備えた撮像装置におけるコンピュータを実行させる撮像制御プログラムにおいて、上記撮像部から被写体像を画像データに変換する撮像ステップと、上記画像データをファイル化するファイル化ステップと、上記画像データの加算演算を行う加算演算ステップと、撮影の実行中に特定のタイミングで上記撮像ステップにおいて上記画像データが出力されるたびに、上記画像データと、上記撮影の実行中に外乱を検出した場合には、上記外乱があったことを示す外乱情報を合せて上記ファイル化ステップによってファイル化を実行させると共に、上記加算演算ステップにおいて過去の画像データとの加算演算を実行させる制御ステップと、を上記コンピュータに実行させる。
第８の発明に係わる再生制御プログラムは、表示部を備えた表示装置におけるコンピュータを実行させる再生制御プログラムにおいて、撮像開始から終了時までの間に、特定タイミングで得られた画像データ、外乱情報と共に時刻情報が記録された複数の画像ファイルを記憶する記憶ステップと、上記外乱情報に基づく表示を行うか行わないかの設定を行う設定ステップと、上記設定ステップで上記外乱情報に基づく表示を行う設定を行った場合には、上記記憶ステップで記憶された画像ファイルが有する上記外乱情報と上記時刻情報を利用して画像の再生制御を行い、一方、上記設定ステップで上記外乱情報に基づく表示を行わない設定を行った場合には、上記記憶ステップで記憶された画像ファイルが有する上記時刻情報を利用して画像の再生制御を行う再生制御ステップと、上記再生制御ステップによって制御された上記画像を表示する表示ステップと、を上記コンピュータに実行させる。
【手続補正９】
【補正対象書類名】明細書
【補正対象項目名】００１１
【補正方法】変更
【補正の内容】
【００１１】
本発明によれば、撮影中に特定のタイミングで画像データが出力されるたびに加算演算を行い、加算画像を生成する場合に、露出が適正な画像を生成可能な撮像装置、撮像方法、撮像制御プログラムを提供することができる。また、この撮像装置で記録された画像ファイルの再生を行う際に、画像表現をユーザの好みに応じて変更が可能な再生装置、再生方法、再生制御プログラムを提供することができる。